(57)【特許請求の範囲】
【請求項１】
天井を構成する天井パネルの野縁に錘部材を取着しているとともに、
野縁に錘部材を取着した天井パネルの周縁部が防振ゴムを介して床根太に取着されていることを特徴とする天井構造。
【請求項２】
野縁が溝形鋼からなり、この溝形鋼の溝内に錘部材を内蔵して取着したことを特徴とする請求項１記載の天井構造。
【請求項３】
請求項１又は２記載の天井構造を備えていることを特徴とする建物。
【発明の詳細な説明】
【０００１】
【発明の属する技術分野】
この発明は、階上の重量床衝撃音振動モードの振動を天井で分散させ、階下への重量床衝撃音を低減させた天井構造、及びそのような天井構造を備えた建物に関する。
【０００２】
【従来の技術】
建物の階下への重量床床衝撃音を低減するのに、階上の床小梁間に板材もしくは天井吊り材の上面や側面に錘部材を取り付け、階上の重量床衝撃音の振動モードの振動を分散させて階下への重量床衝撃音を低減させることが提案されている（特開平３−６９７４５号公報、特開平３−６９７４６号公報等）。
【０００３】
【発明が解決しようとする課題】
上記の天井構造においては、吊り材の下に剛性の低い天井野縁が必要となり、部品数が増え、また、この天井野縁が床内の空間に配管等を配備するのに妨げとなるものであった。
【０００４】
この発明は、上記の点に鑑みてなされたものであり、部品数が増えることなく、また、床内の空間での配管の妨げとならずに、階上の重量床衝撃音振動モードの振動を天井で分散させて階下への重量床衝撃音を低減させた天井構造及び建物を提供することを目的とする。
【０００５】
【課題を解決するための手段】
請求項１記載の発明の天井構造は、天井を構成する天井パネルの野縁に錘部材を取着しているとともに、野縁に錘部材を取着した天井パネルの周縁部が防振ゴムを介して床根太に取着されていることを特徴としている。
【０００６】
請求項２記載の発明の天井構造は、請求項１記載の天井構造において、野縁が溝形鋼からなり、この溝形鋼の溝内に錘部材を内蔵して取着したことを特徴としている。
【０００８】
請求項３記載の発明の建物は、請求項１又は２記載の天井構造を備えていることを特徴としている。
【０００９】
（作用）
請求項１又は２記載の発明の天井構造にあっては、天井パネルの野縁に取着した錘部材によって、階上の重量床衝撃音振動モードの振動が天井パネルで分散して、階下への重量床衝撃音を低減させることになり、錘部材が天井パネルの野縁に取着されているので、その錘部材を取り付けるための部品数が増えることなく、また、床部内の空間が全く閉鎖されないので、床部内での配管の妨げとならない。
さらに、錘部材を取着した天井パネルの周縁部が防振ゴムを介して床根太に取着されているので、天井パネルにおける振動分散がより有効になされ、錘部材による重量床衝撃音の低減効果がさらに向上する。
【００１０】
さらに、請求項２記載の発明の天井構造にあっては、野縁が溝形鋼からなるので、錘部材を野縁の溝内に内蔵させて容易かつ確実に取着することができる。
【００１２】
また、請求項３記載の発明の建物においては、請求項１又は２記載の天井構造を備えているので、階上の重量床衝撃音振動モードの振動が天井で分散して、階下への重量床衝撃音が低減し、階下の居住性が向上する。
【００１３】
【発明の実施の形態】
この発明の実施の形態を図面の実施例に基づいて説明する。
【００１４】
図１は、この発明の天井構造を示すもので、階上の床と階下の天井との接続部を示す説明図、図２は図１の天井部の接続部の拡大説明図、図３は、図２のＡ−Ａ断面図、図４は、天井部を構成する天井パネルの骨格説明図である。
【００１５】
図１〜図４において、１は階上の床部、２は床根太、３は階下の天井部、４は天井吊り金具、５１及び５２は防振ゴム、７は錘部材である。
【００１６】
階上の床部１は、床パネル１１、床材１２等からなり、床パネル１１が床根太２に支持され、この床パネル１１上に床材１２が取り付けられている。
【００１７】
階下の天井部３は、天井パネル３１、天井材３２等からなり、天井パネル３１が天井吊り金具４によって床根太２に取り付けられ、天井パネル３１の下面に強化石膏ボードの天井面材３２が取り付けられている。
【００１８】
天井パネル３１の骨格は、図４に示すように、リップ溝形鋼等の形鋼からなる長さ４５５０ｍｍの横の外枠３１１と、同様にリップ溝形鋼等の形鋼からなる長さ２２５０ｍｍの縦の外枠３１２とによって長方形に組まれ、この横の外枠３１１間にほぼ等間隔に９本のリップ溝形鋼等の溝形鋼からなる野縁３１３が架け渡されて構成されている。
【００１９】
そして、９本の野縁３１３のうち、外側のイ、リの位置にある野縁３１３と、中央部のニ、ヘの位置にある野縁３１３の４本の野縁３１３の溝内に、図３に示すように、それぞれ３〜３０ｋｇの錘部材７を内蔵させることにより取着している。
【００２０】
上記の天井パネル３１においては、錘部材がないときには、イ、リ、ニ、ヘの位置の野縁３１３で振動モードの節になるので、この位置の野縁３１３に錘部材７を内蔵させている（図４（Ａ）参照）。
なお、天井材３２は、図示していないが、野縁３１３間に取り付けられた天井材受け鉄板に取り付けられることになる。
【００２１】
天井パネル３１は、天井吊り金具４によって床根太２に取り付けられている。天井吊り金具４は、それぞれＬ字形板体の床根太側吊り金具４１と天井側吊り金具４２とからなり、一方の床根太側吊り金具４１が床根太２に釘４１１で固着され、他方の天井側吊り金具４２が天井パネル３１の横の外枠３１１に溶接、リベット、ボルト・ナット等で固着されている。
【００２２】
そして、床根太側吊り金具４１と天井側吊り金具４２とは、２枚の防振ゴム５１、５２を介してボルト６１・ナット６２で接続されている。
この防振ゴム５１、５２については、バネ定数：３０ｋＮ／ｍ〜５００ｋＮ／ｍ、取付ピッチ：４５５ｍｍ〜１８２０ｍｍ、厚み５ｍｍ〜４０ｍｍのものを用いた。
このように、天井パネル３１の周縁部が防振ゴム５１、５２を介して床根太２に取着されていることによって、天井パネルの周囲が防振ゴム５１、５２による点固定で支えることになって、より有効な振動分散ができるようになっている。
【００２３】
ところで、４５５０ｍｍ×２２５０ｍｍの天井パネルにおいて、錘部材を取着しない場合には、振動モードは図４（Ａ）に示すように、位置イ、ニ、ヘ、リの各野縁で振動の節になっていた（ｆ＝５６．６Ｈｚ）。
【００２４】
これに対し、天井パネル３１の位置イ、ニ、ヘ、リの各野縁３１３の溝のほぼ中央部に、長さ２２５０ｍｍの棒状鉄製の錘部材７を内蔵させて前記実施例のような天井構造としたとき、天井パネル３１の振動モードは図４（Ｂ）に示すように変化し、より有効に振動分散がなされていた（ｆ＝４７．９Ｈｚ）。
【００２５】
そして、建物の試作棟のモーダル測定によると、各測定ポイントにおける振動レベルは図６に示すとおりであり（ポイント１３での振動加速度の最大値を１とする）、位置イ、ニ、ヘ、リの各野縁３１３の溝に錘部材７を内蔵させたこの発明の実施例の場合には、振動分散が有効になされることが分かる。そして、ＬＨとしては、６３Ｈｚでは８８ｄＢから８４ｄＢに減少した。
【００２６】
【発明の効果】
請求項１又は２記載の発明の天井構造にあっては、天井パネルの野縁に取着した錘部材によって、階上の重量床衝撃音振動モードの振動が天井パネルで分散して、階下への重量床衝撃音を低減させることになり、錘部材が天井パネルの野縁に取着されているので、その錘部材を取り付けるための部品数が増えることなく、また、床部内の空間が全く閉鎖されないので、床部内での配管の妨げとならない。
さらに、錘部材を取着した天井パネルの周縁部が防振ゴムを介して床根太に取着されているので、天井パネルにおける振動分散がより有効になされ、錘部材による重量床衝撃音の低減効果がさらに向上する。
【００２７】
さらに、請求項２記載の発明の天井構造にあっては、野縁が溝形鋼からなるので、錘部材を野縁の溝内に内蔵させて容易かつ確実に取着することができる。
【００２９】
また、請求項３記載の発明の建物においては、請求項１又は２記載の天井構造を備えているので、階上の重量床衝撃音振動モードが天井で分散して、階下への重量床衝撃音が低減し、階下の居住性が向上する。
【図面の簡単な説明】
【図１】この発明の天井構造を示すもので、階上の床と階下の天井との接続部を示す説明図である。
【図２】図１の天井部の接続部の拡大説明図である。
【図３】図２のＡ−Ａ断面図である。
【図４】天井部を構成する天井パネルの骨格説明図である。
【図５】天井パネルの振動モードを示す解析図である。
【図６】天井パネルの各測定ポイントにおける振動レベルを示すグラフである。
【符号の説明】
【０００１】
１    階上の床部
１１  床パネル
１２  床材
２    床根太
３    階下の天井部
３１  天井パネル
３１１、３１２  外枠
３１３  野縁
３２  天井材
４    天井吊り金具
５１、５２  防振ゴム
７    錘部材
【図１】
0004540208.tif 000002
【図２】
0004540208.tif 000003
【図３】
0004540208.tif 000004
【図４】
0004540208.tif 000005
【図５】
0004540208.tif 000006
【図６】
0004540208.tif 000007